(57)【特許請求の範囲】
【請求項１】
表示部が形成された文字盤と、
光を導光する透明な導光材料よりなり、略円盤状に形成され、軸方向端面に前記表示部を指し示す指針部を有する指針盤であって、前記指針部が前記指針盤内部を進行する前記軸方向端面に沿った方向の光を視認者側に反射するように前記軸方向端面に対して傾斜して形成される反射面からなっている指針盤と、
前記指針盤の中央部から前記指針盤の外周部に設けられる反射界面に向けて光を照射する光源と、を備える指針計器であって、
前記反射界面は、前記反射界面にて反射した反射光が前記指針盤内部を前記反射面に向かって進行するように形成されており、
前記指針部は、前記指針盤の中心軸を通り、前記指針盤を半円状の第１領域と半円状の第２領域に分割する仮想の分割線を設定し、その分割線を基準方向とした場合に、前記指針盤の前記中央部から前記外周部の方向に向かって形成されており、
前記指針部の前記反射面は、前記分割線を境に前記第１領域側の前記外周部を向くように前記軸方向端面に対して傾斜した第１反射面と、前記第２領域側の前記外周部を向くように前記軸方向端面に対して傾斜した第２反射面を有しており、
前記反射界面は、前記指針盤の前記外周部の全周に亘って複数個形成され、
前記第１領域側の前記反射界面は、前記第１領域側の前記反射界面にて反射した反射光が、前記第１反射面に向かって進行するように形成され、
前記第２領域側の前記反射界面は、前記第２領域側の前記反射界面にて反射した反射光が、前記第２反射面に向かって進行するように形成されている指針計器において、
前記反射界面は、前記指針盤の前記外周部の全周に亘って所定のピッチ角度で複数個形成され、
前記第１領域側の前記反射界面は、前記反射界面を通る仮想円の接線に対して、前記第１領域側の前記反射界面にて反射した反射光が前記第１反射面に向かうように傾斜し、
前記第２領域側の前記反射界面は、前記仮想円の接線に対して、前記第２領域側の前記反射界面にて反射した反射光が前記第２反射面に向かうように傾斜していることを特徴とする指針計器。
【請求項２】
前記反射界面は、前記分割線に対して線対称に形成されていることを特徴とする請求項１に記載の指針計器。
【請求項３】
前記反射界面のさらに外周には、前記反射界面を覆う高反射部材が設けられていることを特徴とする請求項１または２に記載の指針計器。
【請求項４】
表示部が形成された文字盤と、
光を導光する透明な導光材料よりなり、略円盤状に形成され、軸方向端面に前記表示部を指し示す指針部を有する指針盤であって、前記指針部が前記指針盤内部を進行する前記軸方向端面に沿った方向の光を視認者側に反射するように前記軸方向端面に対して傾斜して形成される反射面からなっている指針盤と、
前記指針盤の中央部から前記指針盤の外周部に設けられる反射界面に向けて光を照射する光源と、を備える指針計器であって、
前記反射界面は、前記反射界面にて反射した反射光が前記指針盤内部を前記反射面に向かって進行するように形成されており、
前記指針部は、前記指針盤の中心軸を通り、前記指針盤を半円状の第１領域と半円状の第２領域に分割する仮想の分割線上に、前記指針盤の前記中央部から前記外周部に向かって延びて形成されており、
前記指針部の前記反射面は、前記第１領域側の前記外周部を向くように傾斜しており、
前記反射界面は、前記指針盤の前記外周部の全周に亘って複数個形成され、
前記第１領域側の前記反射界面は、前記第１領域側の前記反射界面にて反射した前記反射光が、前記反射面に向かって進行するように形成され、
前記第２領域側の前記反射界面は、前記第２領域側の前記反射界面にて反射した前記反射光が、前記分割線のうち、前記指針部が形成されていない側の前記指針盤の前記中央部と前記外周部とを結ぶ線を通って、前記第１領域に向かって進行するように形成されている指針計器において、
前記反射界面は、前記指針盤の前記外周部の全周に亘って所定のピッチ角度で形成され、
前記第１領域側の前記反射界面は、前記反射界面を通る仮想円の接線に対して、前記第１領域側の前記反射界面にて反射した前記反射光が前記第１反射面に向かうように傾斜し、
前記第２領域側の前記反射界面は、前記仮想円の接線に対して、前記第２領域側の前記反射界面にて反射した反射光が、前記分割線のうち、前記指針部が形成されていない側の前記指針盤の前記中央部と前記外周部とを結ぶ線を通って、前記第１領域に向かって進行するように傾斜していることを特徴とする指針計器。
【請求項５】
前記反射界面のさらに外周には、前記反射界面を覆う高反射部材が設けられていることを特徴とする請求項４に記載の指針計器。
【発明の詳細な説明】
【技術分野】
【０００１】
本発明は、指針計器に関する。
【背景技術】
【０００２】
従来、透明な導光部材よりなり、略円盤状に形成され、軸方向端面に文字盤に形成された表示部を指し示す指針部を有する指針盤であって、指針部が指針盤内部を進行する光を視認者側に反射する反射面からなっている指針盤と、指針盤の中央部から指針盤の外周部に向けて光を照射する光源とを有する指針計器が知られている（特許文献１参照）。この指針計器では、光源から出射される光を指針盤の外周部で反射させ、その反射光を反射面に入射させることで、視認者に指針部を１本の光の筋として認識させている。指針盤は、文字盤の背後に設けられるモータなどからなるムーブメントによって回転駆動される。
【特許文献１】特開２００６−２６７０８１号公報
【発明の開示】
【発明が解決しようとする課題】
【０００３】
上述した指針計器では、指針部が略円盤状に形成された指針盤に形成されているので、針状の指針部よりも慣性モーメントが大きく、ムーブメントの負担が増加する。このため、指針盤の慣性モーメントを小さくすべく、指針盤を薄く形成する必要がある。ところが、指針盤を薄くすると、光源から指針盤に供給する光の量が減少する。
【０００４】
上述した指針計器では、指針盤の外周部は、ほとんど段差のない滑らかな形状となっている。このため、指針盤の中央部から外周部に向けて照射される光の大半は、外周部にて反射し再び中央部に戻ってしまう。指針部の反射面へは外周部にて乱反射した光が到達し、反射面が発光する。
【０００５】
乱反射の方向成分は、不規則であるため、反射面に到達する光の量は少ない。また、慣性モーメントを小さくすべく、指針盤を薄く形成すると、指針盤に入射する光の量は少なくなるので、反射面に到達する光の量はさらに少なくなり、指針部の輝度が低下するという問題が発生する。
【０００６】
本発明の目的は、指針盤の慣性モーメントを小さくすべく指針盤を薄く形成しても、指針盤に形成した指針部の輝度を高めることができる指針計器を提供することにある。
【課題を解決するための手段】
【０００７】
本発明の請求項１に記載の発明は、表示部が形成された文字盤と、光を導光する透明な導光材料よりなり、略円盤状に形成され、軸方向端面に表示部を指し示す指針部を有する指針盤であって、指針部が指針盤内部を進行する軸方向端面に沿った方向の光を視認者側に反射するように軸方向端面に対して傾斜して形成される反射面からなっている指針盤と、指針盤の中央部から指針盤の外周部に設けられる反射界面に向けて光を照射する光源と、を備える指針計器であって、反射界面は、反射界面にて反射した反射光が指針盤内部を反射面に向かって進行するように形成されており、
指針部は、指針盤の中心軸を通り、指針盤を半円状の第１領域と半円状の第２領域に分割する仮想の分割線を設定し、その分割線を基準方向とした場合に、指針盤の中央部から外周部の方向に向かって形成されており、指針部の反射面は、分割線を境に第１領域側の外周部を向くように軸方向端面に対して傾斜した第１反射面と、第２領域側の外周部を向くように軸方向端面に対して傾斜した第２反射面を有しており、反射界面は、指針盤の外周部の全周に亘って複数個形成され、第１領域側の反射界面は、第１領域側の反射界面にて反射した反射光が、第１反射面に向かって進行するように形成され、第２領域側の反射界面は、第２領域側の反射界面にて反射した反射光が、第２反射面に向かって進行するように形成されている指針計器において、
反射界面は、指針盤の外周部の全周に亘って所定のピッチ角度で複数個形成され、第１領域側の反射界面は、反射界面を通る仮想円の接線に対して、第１領域側の反射界面にて反射した反射光が第１反射面に向かうように傾斜し、第２領域側の反射界面は、仮想円の接線に対して、第２領域側の反射界面にて反射した反射光が第２反射面に向かうように傾斜していることを特徴としている。
【０００８】
この構成によれば、略円盤状に形成された指針盤に形成された指針部は、指針盤内部を進行する軸方向端面に沿った方向の光を視認者側に反射するように軸方向端面に対して傾斜した反射面からなっている。そして、その反射面は、指針盤の外周部に設けられる反射界面にて反射した光を視認者側に反射するので、視認者に指針部を物体として認識させるのではなく、指針部を１本の光の筋として認識させることができ、指針部を斬新な見栄えとすることができる。
また、反射面に光を供給する反射界面は、反射界面にて反射した反射光が指針盤内部を反射面に向かって進行するように形成されているので、指針盤の中央部から第１、第２反射面に到達するまでに、反射界面にて光が反射する回数を極力少なくすることができ、また、光が進行する距離を極力短くすることができる。これにより、指針盤内部を進行する光を効率よく反射面に導くことができ、指針部の輝度を高めることができる。
【０００９】
さらに、この構成によれば、第１領域側の反射界面は、第１領域側の反射界面にて反射した反射光が、第１反射面に向かって進行するように形成され、第２領域側の反射界面は、第２領域側の反射界面にて反射した反射光が、第２反射面に向かって進行するように形成されているので、指針盤の中央部から第１、第２反射面に到達するまでに、反射界面にて光が反射する回数を極力少なくすることができ、光が進行する距離を極力短くすることができる。このため、指針盤内部を進行する光を効率よく第１、第２反射面に導くことができ、指針部の輝度を高めることができる。
さらにまた、分割線を境に、指針盤の第１領域内部を進行する光は第１反射面へ、第２領域の指針盤の第２領域内部を進行する光は第２反射面へ供給されることとなるため、第１、第２反射面の輝度を均等にすることができる。
【００１０】
加えて、反射界面は、指針盤の外周部の全周に亘って所定のピッチ角度で複数個形成され、さらに、第１領域側の反射界面は、反射界面を通る仮想円の接線に対して、第１領域側の反射界面にて反射した反射光が第１反射面に向かうように傾斜し、第２領域側の反射界面は、前記仮想円の接線に対して、第２領域側の反射界面にて反射した反射光が第２反射面に向かうように傾斜しているので、第１、第２領域側の反射界面にて反射したそれぞれの反射光を効率よく第１、第２反射面に導くことができる。
【００１４】
本発明の請求項２に記載の発明は、反射界面は、分割線に対して線対称に形成されていることを特徴としている。この構成によれば、第１、第２領域での光の進行がほぼ同じとなるため、第１、第２反射面の輝度を均等にすることができる。
【００１５】
本発明の請求項３に記載の発明は、反射界面のさらに外周には、反射界面を覆う高反射部材が設けられていることを特徴としている。この構成によれば、反射界面から光が透過して外周側に光が逃げていくのを抑制することができるので、より指針部の輝度を高めることができる。
【００１６】
本発明の請求項４に記載の発明は、表示部が形成された文字盤と、光を導光する透明な導光材料よりなり、略円盤状に形成され、軸方向端面に表示部を指し示す指針部を有する指針盤であって、指針部が指針盤内部を進行する軸方向端面に沿った方向の光を視認者側に反射するように軸方向端面に対して傾斜して形成される反射面からなっている指針盤と、指針盤の中央部から指針盤の外周部に設けられる反射界面に向けて光を照射する光源と、を備える指針計器であって、反射界面は、反射界面にて反射した反射光が指針盤内部を反射面に向かって進行するように形成されており、
指針部は、指針盤の中心軸を通り、指針盤を半円状の第１領域と半円状の第２領域に分割する仮想の分割線上に、指針盤の中央部から外周部に向かって延びて形成されており、指針部の反射面は、第１領域側の外周部を向くように傾斜しており、反射界面は、指針盤の外周部の全周に亘って複数個形成され、第１領域側の反射界面は、第１領域側の反射界面にて反射した反射光が、反射面に向かって進行するように形成され、第２領域側の反射界面は、第２領域側の反射界面にて反射した反射光が、分割線のうち、指針部が形成されていない側の指針盤の中央部と外周部とを結ぶ線を通って、第１領域に向かって進行するように形成されている指針計器において、
反射界面は、指針盤の外周部の全周に亘って所定のピッチ角度で形成され、第１領域側の反射界面は、反射界面を通る仮想円の接線に対して、第１領域側の反射界面にて反射した反射光が第１反射面に向かうように傾斜し、第２領域側の反射界面は、仮想円の接線に対して、第２領域側の反射界面にて反射した反射光が、分割線のうち、指針部が形成されていない側の指針盤の中央部と外周部とを結ぶ線を通って、第１領域に向かって進行するように傾斜していることを特徴としている。
【００１７】
この構成によれば、略円盤状に形成された指針盤に形成された指針部は、指針盤内部を進行する軸方向端面に沿った方向の光を視認者側に反射するように軸方向端面に対して傾斜した反射面からなっている。そして、その反射面は、指針盤の外周部に設けられる反射界面にて反射した光を視認者側に反射するので、視認者に指針部を物体として認識させるのではなく、指針部を１本の光の筋として認識させることができ、指針部を斬新な見栄えとすることができる。
また、反射面に光を供給する反射界面は、反射界面にて反射した反射光が指針盤内部を反射面に向かって進行するように形成されているので、指針盤の中央部から第１、第２反射面に到達するまでに、反射界面にて光が反射する回数を極力少なくすることができ、また、光が進行する距離を極力短くすることができる。これにより、指針盤内部を進行する光を効率よく反射面に導くことができ、指針部の輝度を高めることができる。
【００１８】
さらに、この構成によれば、第１領域側の反射界面は、第１領域側の反射界面にて反射した反射光が、反射面に向かって進行するように形成され、第２領域側の反射界面は、第２領域側の反射界面にて反射した反射光が、分割線のうち、指針部が形成されていない側の指針盤の中央部と外周部とを結ぶ線を通って、第１領域に向かって進行するように形成されているので、第１領域側の光は勿論、第２領域側の光も第１領域に回りこんで反射面に到達するので、指針盤の中央部から放射状に照射される光を効率よく反射面に導くことができ、指針部の輝度を高めることができる。
【００１９】
加えて、反射界面は、指針盤の外周部の全周に亘って所定のピッチ角度で複数個形成され、さらに、第１領域側の反射界面は、反射界面を通る仮想円の接線に対して、第１領域側の反射界面にて反射した反射光が反射面に向かうように傾斜し、第２領域側の反射界面は、仮想円の接線に対して、第２領域側の反射界面にて反射した反射光が、分割線のうち、指針部が形成されていない側の指針盤の中央部と外周部とを結ぶ線を通って、第１領域に向かって進行するように傾斜しているので、第１、第２領域側の反射界面にて反射したそれぞれの反射光を効率よく反射面に導くことができる。
【００２０】
本発明の請求項５に記載の発明は、反射界面のさらに外周には、反射界面を覆う高反射部材が設けられていることを特徴としている。この構成によれば、反射界面から光が透過して外周側に光が逃げていくのを抑制することができるので、より指針部の輝度を高めることができる。
【発明を実施するための最良の形態】
【００２１】
以下、本発明の複数の実施形態を図面に基づいて説明する。なお、以下の各実施形態相互において、互いに同一若しくは均等である部分には、図中、同一符号を付してある。
【００２２】
（第１実施形態）
図１は、コンビネーションメータに組み込まれた本発明の第１実施形態による指針計器としてのスピードメータの正面図である。図２は、図１中のＩＩ−ＩＩ線の断面図である。図３は、図１中のＩＩＩ−ＩＩＩ線の断面図である。
【００２３】
コンビネーションメータ１は、自動車の車室内の運転席前方に設けたインストルメントパネル内に配置され、車両の各種情報などを表示する。コンビネーションメータ１は、図１に示すように自動車の走行速度を表示するスピードメータ２を有している。
【００２４】
スピードメータ２は、メータの外形を形作る円環状のリング部１１を備えている。リング部１１の内周側には、走行速度を表す数字部１２が設けられ、数字部１２のさらに内周側には目盛部２１が設けられる。図１に示すように、数字部１２および目盛部２１は、リング部１１の中心を中心とする同心円上に配置される。数字部１２および目盛部２１は、請求項に記載の表示部に相当する。
【００２５】
目盛部２１のさらに内周側には、数字部１２および目盛部２１を指し示す指針部５０が設けられる。指針部５０は、上記リング部１１の中心を回転中心とし、その回転中心から径方向に延びている。
【００２６】
スピードメータ２は、指針部５０が自動車の走行速度に応じて所定角度回転することにより、走行速度に応じた数字部１２または目盛部２１を指し示すことにより、自動車の走行速度を表示する。
【００２７】
次に、スピードメータ２の構造を図２および図３を用いて詳細に説明する。スピードメータ２は、数字部１２が形成される第１文字盤１０と、目盛部２１が形成される第２文字盤２０と、指針部５０が形成される指針盤３０と、指針盤３０を回転駆動するムーブメント７０などを備え、これらは、ケース８０および見返し板８１内に収容される。
【００２８】
第１文字盤１０は、最も視認者側（図２の上側）に配置され、その背後に第２文字盤２０が配置される。第１文字盤１０と第２文字盤２０は、第２文字盤２０の背後に配置され、ケース８０に固定されている拡散盤８３にて支持されている。指針盤３０は、第１文字盤１０と第２文字盤２０との間に配置され、ムーブメント７０は、拡散盤８３の背後に配置される。
【００２９】
第１文字盤１０は、光透過性材料、例えば無色透明のポリカーボネート樹脂またはアクリル樹脂などから略円環状に形成されている。図１および図２に示すように、第１文字盤１０は、中央部に開口部１３を備え、外周部にリング部１１を備える。
【００３０】
リング部１１と開口部１３との間には、上述した数字部１２が形成されている（図１を参照）。数字部１２は、第１文字盤１０の表面に形成され、数字部１２となる部分以外の部分に光を遮る不透光性着色層を設けることで形成されている。この不透光性着色層は、例えば、不透光性黒色インクにより構成される。第１文字盤１０の背後から光を照射することにより、数字部１２が発光表示される。
【００３１】
第２文字盤２０は、光透過性材料、例えば無色透明のポリカーボネート樹脂またはアクリル樹脂などから略円盤状に形成されている。図２に示すように、第２文字盤２０の直径は、上記開口部１３の内径よりも若干大きい。そして、第２文字盤２０の中央部には、貫通孔２２が形成されている。
【００３２】
第２文字盤２０の外周部と貫通孔２２との間には、上述した目盛部２１が形成されている（図１を参照）。目盛部２１は、第２文字盤２０の表面に形成され、目盛部２１となる部分以外の部分に光を遮る不透光性着色層を設けることで形成されている。この不透光性着色層は、例えば、不透光性黒色インクにより構成される。第２文字盤２０の背後から光を照射することにより、目盛部２１が発光表示される。
【００３３】
拡散盤８３の背後には、回路基板９０が配置される。回路基板９０もまたケース８０に固定されている。回路基板９０の拡散盤８３側の表面には、上述の数字部１２および目盛部２１に向かって光を照射する発光ダイオード９１が実装されている。
【００３４】
発光ダイオード９１から出射された光は、拡散盤８３を介して数字部１２および目盛部２１に供給される。拡散盤８３は、乳白色の樹脂材料から形成されており、発光ダイオード９１から出射された光を均一にして数字部１２および目盛部２１に供給する。
【００３５】
回路基板９０の拡散盤８３と反対側の表面には、ムーブメント７０が実装されている。ムーブメント７０は、ステッピングモータ、あるいは交差コイル式回転機などの電気アクチュエータからなり、外部からの電気信号（スピードメータ２の場合は、自動車の走行速度信号）に対応した角度だけシャフト７１を回転させるものである。ムーブメント７０の先端には、図２に示すように第１文字盤１０と第２文字盤２０との間に配置される指針盤３０が取り付けられている。
【００３６】
指針盤３０は、円盤部３１とキャップ部４０とを備える。円盤部３１は、ＣＯＰ（シクロオレフィンポリマー）から構成され、略円盤状に形成されている。円盤部３１の中央部には、第２文字盤２０の貫通孔２２を貫通する方向に延び、光を入射する入射部３４が形成されている。そして、円盤部３１の中央部には、入射部３４から入射した光を円盤部３１の外周部に向けて照射する反射部３５が形成されている。これにより、入射部３４から入射された光は反射部３５にて反射して外周部に向けて光が円盤部３１内部を進行する。
【００３７】
円盤部３１の中央部と外周部との間には、中央部から外周部に向かって延びるように指針部５０が形成されている（図１および図２を参照）。指針部５０は、図２に示すように第２文字盤２０側の軸方向端面３３に形成されている。指針部５０は、図３に示すように、軸方向端面３３に対して傾斜する２つの面から構成されている。この２つの面は、軸方向端面３３に近づくほど面の間が広がるように傾斜している。この２つの面のうち一方の面を第１反射面５１とよび、他方の面を第２反射面５２とよぶ。第１、第２反射面５１、５２は、軸方向端面３３に、断面が三角形となる溝を形成することによって形成される。
【００３８】
図３に示すように、第１、第２反射面５１、５２は、視認者側（図３の上側）を向いて傾斜しているため、円盤部３１内部を進行する光を反射し、その反射光を視認者側に出射する。これにより、視認者に指針部５０が１本の光の筋として認識させることができる。円盤部３１の構成については後ほど詳細に説明する。
【００３９】
キャップ部４０は、ＰＯＭ（ポリアセタール）から構成され、円盤部３１の入射部３４および反射部３５を覆うように配置される。図２に示すように、キャップ部４０は、中央部に第２文字盤２０の方向に突出するボス部４１を有し、シャフト７１に圧入されている。また、キャップ部４０は、ボス部４１の外側に突出部４２を有している。ボス部４１を円盤部３１に設けられた孔部３６に挿入した後、突出部４２の先端に熱かしめ加工を施すことにより、円盤部３１とキャップ部４０とを固定する。
【００４０】
回路基板９０には、円盤部３１の入射部３４に光を照射する発光ダイオード９２が実装されている。発光ダイオード９２は、シャフト７１の周囲に複数個実装されている。そして、発光ダイオード９２と入射部３４との間には、発光ダイオード９２から出射される光を入射部３４に集光するためのプリズム９３が設けられている。そして、発光ダイオード９２の周囲には、遮光部材９４が設けられている。この発光ダイオード９２が請求項に記載の光源に相当する。
【００４１】
次に、指針盤３０について図４および図５を用いて詳細に説明する。図４は、図２中のＩＶ方向から見たときの指針盤３０の平面図である。図５は、図４中の破線で囲んだ部分の拡大図である。
【００４２】
円盤部３１は、入射部３４、反射部３５を有する略円盤状の本体部３２と、本体部３２の外周部を覆うカバー部３９から構成されている。本実施形態では、円盤部３１の直径は、８０ｍｍとなっている。円盤部３１は、外周部に向かうほどその厚さが薄くなっている。円盤部３１の反射部３５付近では、１．０ｍｍとなっており、円盤部３１の外周部では、０．４ｍｍとなっている。
【００４３】
円盤部３１は、上述したようにポリカーボネート樹脂やアクリル樹脂に比べ比重が軽いＣＯＰを使用している。そして、円盤部３１は、外周部に向かうほど厚さが薄くなるように形成されている。このため、円盤部３１の慣性モーメントを極力小さくすることができる。また、円盤部３１の中央部は、外周部に比べ厚くなっているため、円盤部３１の強度を確保することもできる。
【００４４】
本体部３２は、図４に示すように外周部に反射部３５から出射される光を反射する反射界面３７を有する。反射界面３７は、本体部３２の外周部の周りに複数個形成される面であって、反射部３５からの光を反射する。反射界面３７は、反射部３５から入射する光を反射して、図４に示すように指針部５０の第１、第２反射面５１、５２に導く。
【００４５】
図５に示すように、反射界面３７は、反射界面３７を通る仮想円６１（一点鎖線）の接線６２（二点鎖線）に対して角度θ傾斜して形成されている。反射界面３７が傾斜する方向は、反射部３５からの光を反射した反射光が指針部５０の第１反射面５１および第２反射面５２に向かうように傾斜している。具体的には、反射界面３７が傾斜する方向は、図４にて図示する本体部３２の中心を通る一点鎖線で示す分割線６０の上側半分の領域（第１領域６３という）と、下側半分の領域（第２領域６４という）で異なる。図４に示すように、指針部５０は、分割線６０上に形成され、指針部５０に形成される第１反射面５１は、第１領域６３側の外周部に向いて形成され、第２反射面５２は、第２領域６４側の外周部に向いて形成される。
【００４６】
第１領域６３側の反射界面３７は、仮想円６１の接線６２に対して時計回りに角度θ回転させて形成されている（図４および図５参照）。なお、図５は、第１領域６３側の反射界面３７を図示している。そして、第２領域６４側の反射界面３７は、第１領域６３側の反射界面３７とは逆に、半時計回りに角度θ回転させて形成されている（図４参照）。
【００４７】
この構成によれば、図４中の矢印にて図示するように、本体部３２の反射部３５から外周部に向かって放射状に出射される光のうち、第１領域６３側の光は、第１領域６３側の反射界面３７にて反射し、指針部５０の第１反射面５１に導かれる（図４中に図示する矢印を参照）。一方、第２領域６４側の光は、第２領域６４側の反射界面３７にて反射し、指針部５０の第２反射面６２に導かれる（図４中に図示する矢印を参照）。
【００４８】
これにより、反射界面３７における反射回数を極力少なくすることができる。したがって、反射界面３７にて光が反射する際の光のロスを極力少なくすることができる。また、反射部３５から第１、第２反射面５１、５２までの光が進行する距離を極力短くすることができ、光のロスを極力少なくすることができる。
【００４９】
その結果、本体部３２内部を進行する光を効率よく第１、第２反射面５１、５２に導くことができ、指針部５０の輝度を高めることができる。
【００５０】
本実施形態では、上述の角度θの絶対値は、全ての反射界面３７において同じである。また、反射界面３７は、分割線６０において線対象の関係となっている。これによれば、反射界面３７における光の反射を第１、第２領域６３、６４でほぼ同じとすることができるため、第１、第２反射面５１、５２に到達する光の量もほぼ同じとすることができる。したがって、第１、第２反射面５１、５２の輝度をほぼ同じとすることができる。
【００５１】
本実施形態では、本体部３２の外周部に形成された反射界面３７の外側に、反射界面３７を覆うカバー部３９が設けられている。カバー部３９は、本体部３２と同じ、ＣＯＰより構成されている。カバー部３９に採用されるＣＯＰには、所定量の酸化チタンが混入され、白色の樹脂材料としている。これにより、反射界面３７における光の反射率を高めることができる。このカバー部３９が請求項に記載の高反射部材に相当する。
【００５２】
これにより、本体部３２の反射部３５からの光が反射界面３７にて反射せずに透過して、外周側に逃げていくのを抑制することができるので、より指針部５０の輝度を高めることができる。
【００５３】
次に、反射界面３７付近の構造について図５を用いてさらに詳細に説明する。図５に示すように、反射界面３７は、所定のピッチ角度θｐにて複数個形成されている。本実施形態では、ピッチ角度θｐは、４．３°としている。
【００５４】
隣り合う反射界面３７の間には、一方の反射界面３７の端部と隣接する他方の反射界面３７の端部とを結ぶ段差面３８が形成されている。段差面３８は、本体部３２の外周部から放射状に延びる面である。なお、段差面３８と隣の段差面３８までの角度がピッチ角度θｐと一致する。本実施形態では、上述の段差面３８の長さＨは、０．３ｍｍとなっている。また、反射界面３７および段差面３８の外側に設けられるカバー部３９の径方向の厚さが最も薄くなる部分ｈも０．３ｍｍとなっている。
【００５５】
本実施形態の場合、上記寸法および角度は、以下のようなことを考慮に入れて定められている。
【００５６】
まず、円盤部３１の製造について説明する。円盤部３１は、予め射出成形などで形成した本体部３２をカバー部３９成形用の金型に配置させて、本体部３２およびカバー部３９を成形するインサート成形や、同一金型内で本体部３２およびカバー部３９を成形する２色成形によって形成される。
【００５７】
このため図５に示すように、反射界面３７と段差面３８とが接続する部分には製造上Ｒが形成されることとなる。このため、Ｒが形成された部分である範囲θｄに光が入射すると、適切な方向、すなわち第１、第２反射面５１、５２に向かう方向に光を導くことができなくなる。反射界面３７のピッチ角度θｐを小さくしすぎると、上記θｄの本体部３２全周に占める割合が大きくなるため、第１、第２反射面５１、５２に導く光の量が少なくなる。反対に、ピッチ角度θｐを大きくしすぎると上記θｄの本体部３２全周に占める割合は小さくなるものの、１つあたりの反射界面３７の大きさが大きくなりすぎ、反射光を適切に第１、第２反射面５１、５２に導くことが困難となる。
【００５８】
段差面３８の長さＨについては、長さＨを長くしすぎると図５の矢印で示すように反射界面３７にて反射した反射光が、隣接する段差面３８に当たってしまい、反射光を第１、第２反射面５１、５２に導くことができなくなる。また、小さくしすぎると、接線６２に対する反射界面３７の傾斜の角度θが小さくなり、第１、第２反射面５１、５２に反射光を導くことが困難となることがある。
【００５９】
カバー部３９については、ムーブメント７０への負担を減らすべく、円盤部３１の慣性モーメントを小さくするために上記ｈを小さくしすぎると、カバー部３９をインサート成形または２色成形する際に、樹脂材料が金型と反射界面３７および段差面３８との間を流動することが困難となり、カバー部３９の成形が困難となる。
【００６０】
これに対し、本実施形態では、カバー部３９を構成する樹脂材料として、ＭＬＲ（メルトフローレート）がポリカーボネート樹脂やアクリル樹脂に比べ大きいものとしてＣＯＰを使用している。本実施形態では、カバー部３９の機能を達成するために、ＣＯＰに酸化チタンを混入し、材料を白色化している。
【００６１】
ここで、酸化チタンの混入量が多ければ多いほど透明材料であるＣＯＰはより白色化するため、光の反射率が向上する。しかしながら、酸化チタンの混入量が多ければ多いほど、金型内での流動性が悪化したり、離型性も悪化したりすることがある。このため、製造上、上記ｈを小さくすることが困難となり、慣性モーメントを低下させる妨げとなる。
【００６２】
本実施形態では、上記のことを考慮に入れて、極力第１、第２反射面５１、５２に光を導けるように反射界面３７を形成している。
【００６３】
また、円盤部３１の製造方法としては、２色成形を採用するのが好ましい。２色成形によれば、１次成形品としての本体部３２を離型せずに同一金型にてカバー部３９も成形することが可能となるため、製造時に本体部３２の指針部５０以外の場所に傷等がつきにくくなる。このため、傷がついた部分に光が反射して、意図しない部分が発光してしまうことを抑制することができる。
【００６４】
本実施形態では、スピードメータ２について説明したが、これに限るものではない。指針計器であればなんでも良い。例えば、エンジン回転計の指針部に使用しても良いし、燃料残量計の指針部に使用しても良い。
【００６５】
本実施形態では、円盤中心を通る分割線上に指針部を設定したが、中心側から外周側に向かって設定されている指針部であれば、分割線上に乗っているもの以外でも同様の効果が得られる。
【００６６】
（第２実施形態）
図６および図７は、本発明の第２実施形態を示している。ここでは、上記第１実施形態と異なる部分のみ説明する。なお、図６は、第１実施形態の図４に対応する図面であって、図７は、第１実施形態の図３に対応する図面である。
【００６７】
図６および図７に示すように、本実施形態の指針盤３０ａの円盤部３１ａの軸方向端面３３ａに形成される指針部５０ａの形状が、第１実施形態の指針部５０と異なる。本実施形態の指針部５０ａは、分割線６０によって分割される第１領域６３側の円盤部３１ａの外周部を向く反射面５１ａのみによって形成されている。このように、指針部５０ａが形成されている場合、反射面５１ａは、第１領域６３側の光しか反射しない。
【００６８】
円盤部３１ａの本体部３２ａの外周部に形成される反射界面３７ａが、第１実施形態の反射界面３７と異なる。図６に示すように、本実施形態では、第１領域６３側の反射界面３７ａ、第２領域６４側の反射界面３７ａのいずれも、仮想円６１の接線６２に対して、時計回りに角度θ回転させて形成されている。
【００６９】
このように反射界面３７ａを形成することにより、第１領域６３側の光は、図６中に図示する矢印のように、第１領域６３側の反射界面３７ａに反射して反射面５１ａに導かれる。第２領域６４側の光は、図６中に図示する矢印のように、第２領域６４側の反射界面３７ａに反射する。その反射光は、分割線６０のうち、指針部５０ａが形成されていない側の指針盤３０ａの中央部と外周部とを結ぶ線を通って第１領域６３に入る。そして、第１領域６３側の反射界面３７ａに反射し、反射面５１ａに導かれる。
【００７０】
この構成によれば、反射面５１ａが片側しかないような形式の指針部５０ａであっても、反射面３７ａとは反対側に存在する光、つまり、第２領域６４側の光を第１領域６３側に回り込ませて、反射面５１ａに導くことができる。このため、指針盤３０ａ内部に光を効率よく反射面５１ａに導くことができ、指針部５０ａの輝度を高めることができる。
【図面の簡単な説明】
【００７１】
【図１】本発明の第１実施形態によるスピードメータの正面図である。
【図２】図１中のＩＩ−ＩＩ線の断面図である。
【図３】図１中のＩＩＩ−ＩＩＩ線の断面図である。
【図４】図２中のＩＶ方向矢視図である。
【図５】図２中のＶ部分の拡大図である。
【図６】本発明の第２実施形態によるスピードメータの指針盤の平面図である。
【図７】図６中のＶＩＩ−ＶＩＩ線の断面図である。
【符号の説明】
【００７２】
１  コンビネーションメータ、２  スピードメータ（指針計器）、１０  第１文字盤（文字盤）、１２  数字部（表示部）、２０  第２文字盤（文字盤）、２１  目盛部（表示部）、３０  指針盤、３１  円盤部、３２  本体部、３３  軸方向端面、３４  入射部、３５  反射部、３７  反射界面、３８  段差面、３９  カバー部、４０  キャップ部、５０  指針部、５１  第１反射面、５２  第２反射面、６０  分割線、６１  仮想円、６２  接線、６３  第１領域、６４  第２領域、７０  ムーブメント、９０  回路基板、９２  発光ダイオード（光源）
【図１】
0005012337.tif 000002
【図２】
0005012337.tif 000003
【図３】
0005012337.tif 000004
【図４】
0005012337.tif 000005
【図５】
0005012337.tif 000006
【図６】
0005012337.tif 000007
【図７】
0005012337.tif 000008